(57)【要約】【課題】別途に設置される子器が接続可能であって負荷を制御する親器として用いることができ且つ別途に設置された親器に対して人体の検知信号を送出することが可能な熱線式自動スイッチおよびそれを用いた負荷制御システムを提供する。【解決手段】出力端子Ｔ２，Ｔ２間に負荷がリレー開閉部１４を介して接続され、商用電源ＡＣから負荷への給電路にリレー開閉部１４が挿入され、制御回路部１０により制御される。制御回路部１０には、人感センサ１２や子器側人感センサでの検知信号が送出検出回路１９を介して入力される。子器が接続される子器端子Ｔ３，Ｔ３とは別に他の親器が接続される連動用端子Ｔ４，Ｔ４と、送出検出回路１９とは電気的に絶縁され送出検出回路１９により検出された検知信号を連動用端子Ｔ４，Ｔ４を介して送出する信号送出回路２０とを備える。【選択図】　　　図１
2004044855.tif 000002
【特許請求の範囲】
【請求項１】
負荷への給電路に挿入されるスイッチ要素と、人体から放射される熱線を検知することにより人の存否を検出する子器側人感センサを有し別途に設置される子器を信号線を介して接続する子器端子と、子器端子を介して入力された子器側人感センサの検知信号を検出する検出回路と、検出回路により検出された子器側人感センサの検知信号に基づいてスイッチ要素を制御する制御回路部と、連動させる親器を他の信号線を介して接続する連動用端子と、検出回路とは電気的に絶縁され検出回路により検出された子器側人感センサの検知信号を連動用端子を介して送出する信号送出回路とを備えることを特徴とする熱線式自動スイッチ。
【請求項２】
人体から放射される熱線を検知することにより人の存否を検出する親器側人感センサを内蔵し、前記検出回路は、親器側人感センサの検知信号を検出し、前記制御回路部は、前記検出回路により検出された親器側人感センサの検知信号に基づいて前記スイッチ要素を制御し、前記信号送出回路は、前記検出回路により検出された親器側人感センサの検知信号を前記連動用端子を介して送出することを特徴とする請求項１記載の熱線式自動スイッチ。
【請求項３】
埋込型の配線器具の取付枠に取付可能な２連モジュール寸法の器体を有し、前記検出回路を介して入力される検知信号がなくなってから前記負荷をオフさせるまでの負荷動作保持時間を設定する設定部と、前記検出回路を介して入力される検知信号に基づいて前記負荷を制御する自動モードと前記負荷を強制的にオンにする連続入モードと前記負荷を強制的にオフにする切モードとの切替選択が可能なモード選択操作部とが器体に設けられてなることを特徴とする請求項１または請求項２記載の熱線式自動スイッチ。
【請求項４】
周囲照度を検出する明るさセンサを有する明るさセンサユニットを接続するセンサユニット接続端子を備え、前記制御回路部は、明るさセンサにより検出された照度が規定値を超えているときには前記負荷を強制的にオフすることを特徴とする請求項１ないし請求項３のいずれかに記載の熱線式自動スイッチ。
【請求項５】
請求項１ないし請求項４のいずれか１項に記載の熱線式自動スイッチと、当該熱線式自動スイッチの前記連動用端子に前記他の信号線を介して接続された親器である換気扇用親器とを備え、前記負荷が照明負荷であり、換気扇用親器は、換気扇負荷への給電路に挿入される換気扇負荷用スイッチ要素と、前記熱線式自動スイッチが前記他の信号線を介して接続された連動側子器端子と、連動側子器端子を介して入力された前記親器側人感センサの検知信号を検出する連動側検出回路と、連動側検出回路により検出された前記親器側人感センサの検知信号に基づいて換気扇負荷用スイッチ要素を制御する連動側制御回路部とを有することを特徴とする負荷制御システム。
【請求項６】
前記換気扇用親器は、埋込型の配線器具の取付枠に取付可能な２連モジュール寸法の器体を有し、前記連動側検出回路を介して入力される検知信号がなくなってから前記換気扇負荷をオフさせるまでの連動側負荷動作保持時間を設定する連動側設定部が設けられてなることを特徴とする請求項５記載の負荷制御システム。
【発明の詳細な説明】
【０００１】
【発明の属する技術分野】
本発明は、人体から放射される熱線を検出することにより人の存否に応じて負荷を制御する熱線式自動スイッチおよびそれを用いた負荷制御システムに関するものである。
【０００２】
【従来の技術】
従来から、人体から放射される熱線を検出することにより人の存否に応じて負荷を制御する熱線式自動スイッチを用いた負荷制御システムが知られている。この種の負荷制御システムは、例えば、トイレ室内への人の入退室に応じて照明負荷を点灯させるとともに換気扇負荷を運転するために用いられる。
【０００３】
このような用途で用いられる負荷制御システムは、例えば、図９に示すように、負荷である照明負荷Ｌへの給電路に挿入されたスイッチ要素を制御する天井埋込型の熱線式自動スイッチからなる親器１’と、天井埋込型の複数（図示例では２つ）の子器２と、負荷である換気扇負荷Ｆへの給電路に挿入されたスイッチ要素を制御する天井埋込型の換気扇用子器３とを備えている。なお、各子器２および換気扇用子器３は２線式の信号線Ｌｓを介して親器１’に接続されており、子器２間を接続する信号線Ｌｓおよび子器２と換気扇用子器３との間を接続する信号線Ｌｓは送り配線されている。
【０００４】
ここにおいて、親器１’は、図１０に示すように、人体から放射される熱線を検知することにより人の存否を検出する人感センサ１２’と、照明負荷Ｌへの給電路に挿入されるスイッチ要素であるリレー開閉部（リレーの接点）１４’と、リレー開閉部（リレーの接点）１４’を制御するリレー制御部１５’とを備えている。また、子器２は、人体から放射される熱線を検知することにより人の存否を検出する人感センサ（図示せず）を備えており、換気扇用子器３は、図１１に示すように、人体から放射される熱線を検知することにより人の存否を検出する人感センサ３２と、換気扇負荷Ｆへの給電路に挿入されるスイッチ要素であるリレー開閉部（リレーの接点）３４と、リレー開閉部３４を制御するリレー制御部３５とを備えている。
【０００５】
上述の親器１’は、商用電源ＡＣが接続される電源端子Ｔ１’，Ｔ１’と、負荷である照明負荷Ｌが接続される出力端子Ｔ２’，Ｔ２’と、子器２が接続される子器端子Ｔ３’，Ｔ３’とを備えており、出力端子Ｔ２’，Ｔ２’間に照明負荷Ｌがリレー開閉部１４’を介して接続され、商用電源ＡＣから照明負荷Ｌへの給電路にリレー開閉部１４’が挿入されることになる。
【０００６】
また、親器１’は、電源端子Ｔ１’，Ｔ１’に接続される商用電源ＡＣを整流して安定化する定電圧回路１１’を備えており、定電圧回路１１’から直流定電圧が出力され、定電圧回路１１’から内部回路の電源が供給される。
【０００７】
ところで、人感センサ１２’は、焦電形赤外線センサからなる熱線センサを備えている。焦電形赤外線センサは微分形のセンサであって、受光した熱線量の変化に応じた振幅の出力電圧を発生させるものであり、熱線センサの出力電圧に規定の閾値以上の変化が生じると人感センサ１２’からはパルス状の検知信号が出力されるようになっている。なお、子器２に設けられた人感センサおよび換気扇用子器３に設けられた人感センサ３２の構成は親器１’に設けられた人感センサ１２’の構成と同じである。
【０００８】
人感センサ１２’に用いる焦電形赤外線センサは、人が検知エリア内に存在しても人の動きがなく熱線量に変化が生じなければ出力電圧が得られないから、人に動きがなければ検知信号は得られない。したがって、検知信号が得られるときだけ照明負荷Ｌを点灯させる構成とすると人の動きが止まったときには人が熱線センサの検知エリア内に存在するにも関わらず照明負荷Ｌが消灯することになって不都合である。そこで、検知信号の発生毎に検知信号の発生時点から所定の負荷動作保持時間（点灯保持時間）を時限するタイマ（図示せず）を設けるとともに、タイマの時限動作中には照明負荷Ｌの点灯を継続させる構成が採用されている。つまり、タイマは検知信号によってトリガされると時限動作を行い、かつ再トリガ可能に構成されている。
【０００９】
タイマは、マイクロコンピュータからなる制御回路部１０’により構成され、この制御回路部１０’には、タイマによる負荷動作保持時間を調節するための可変抵抗器よりなる動作保持時間設定部１６’が接続されており、動作保持時間設定部１６’でタイマの時限時間を調節することが可能になっている。また、制御回路部１０’には、周囲照度を検出するＣｄＳなどからなる明るさセンサ１３’が接続されており、明るさセンサ１３’によって検出された周囲照度が規定値を超えているときにはリレー開閉部１４’を開いた状態に制御して、照明負荷Ｌをオフ（消灯状態）に保つようになっている。ところで、明るさセンサ１３により検出される周囲照度に対する規定値は、明るさ切替スイッチ１８’により複数段階で選択される。また、明るさ切替スイッチ１８’では明るさセンサ１３’の出力を無効にする状態も選択可能になっている。
【００１０】
ところで、制御回路部１０’には、人感センサ１２’や子器２の人感センサや換気扇用子器３の人感センサ３４から出力される検知信号を検出する機能を有した送出検出回路１９’が接続されており、送出検出回路１９’を介して検知信号が入力されるようになっている。したがって、親器１’だけでなく子器２や換気扇用子器３で人が検知されたときにも照明負荷Ｌが制御されることになる。なお、親器１’は、子器端子Ｔ２’，Ｔ２’に信号線Ｌｓにより接続された子器２に、定電圧回路１１’を電源として送出検出回路１９’を介して給電するようになっている。
【００１１】
また、制御回路部１０’には、動作切替スイッチ１７’が接続されており、送出検出回路１９’を介して入力される検知信号に基づいてリレー制御部１５’を介してリレー開閉部１４’を開閉させる自動モードと、送出検出回路１９’を介して入力される検知信号とは無関係にリレー制御部１５’を介してリレー開閉部１４’を開いた状態に保つ切モード（つまり、切モードでは照明負荷Ｌが強制的にオフに保たれる）と、送出検出回路１９’を介して入力される検知信号とは無関係にリレー制御部１５’を介してリレー開閉部１４’を閉じた状態に保つ連続入モード（つまり、連続入モードでは照明負荷Ｌが強制的にオンに保たれる）との３つのモードが選択可能になっている。
【００１２】
制御回路部１０’では、送出検出回路１９’を介して入力される検知信号と明るさセンサ１３’の出力とに基づいてリレー制御部１５’に制御信号を与えリレー制御部１５’がリレー開閉部１４’を開閉させることにより照明負荷Ｌを制御する。
【００１３】
換気扇用子器３は、図１１に示すように、商用電源ＡＣが接続される電源端子Ｔ５，Ｔ５と、負荷である換気扇負荷Ｆが接続される出力端子Ｔ６，Ｔ６と、子器２が接続される子器端子Ｔ７，Ｔ７とを備えており、出力端子Ｔ６，Ｔ６間に換気扇負荷Ｆがリレー開閉部３４を介して接続され、商用電源ＡＣから換気扇負荷Ｆへの給電路にリレー開閉部３４が挿入されることになる。
【００１４】
また、換気扇用子器３は、電源端子Ｔ４，Ｔ４に接続される商用電源ＡＣを整流して安定化する定電圧回路３１を備えており、定電圧回路３１から直流定電圧が出力され、定電圧回路３１から内部回路の電源が供給される。
【００１５】
ところで、換気扇用子器３の器体に内蔵される人感センサ３２の構成は上述のように親器１’に内蔵される人感センサ１２’の構成と同じである。したがって、検知信号が得られるときだけ換気扇負荷Ｆを運転させる構成とすると人の動きが止まったときには人が熱線センサの検知エリア内に存在するにも関わらず換気扇負荷Ｌが停止することになって不都合である。そこで、検知信号の発生毎に検知信号の発生時点から所定の負荷動作保持時間（運転保持時間）を時限するタイマ（図示せず）を設けるとともに、タイマの時限動作中には換気扇負荷Ｆの点灯を継続させる構成が採用されている。つまり、タイマは検知信号によってトリガされると時限動作を行い、かつ再トリガ可能に構成されている。
【００１６】
タイマは、マイクロコンピュータからなる制御回路部３０により構成され、この制御回路部３０には、タイマによる動作保持時間を調節するための可変抵抗器よりなる動作保持時間設定部３６が接続されており、動作保持時間設定部３６でタイマの時限時間を調節することが可能になっている。また、制御回路部３０には、周囲照度を検出するＣｄＳなどからなる明るさセンサ３３が接続されており、明るさセンサ３３によって検出された周囲照度が規定値を超えているときには人感センサ３２による検知信号を親器１’へ送信しないようにして、照明負荷Ｌをオフ（消灯状態）に保つようになっている。ここに、明るさセンサ３３により検出される周囲照度に対する規定値は、明るさ切替スイッチ３８により複数段階で選択される。また、明るさ切替スイッチ３８では明るさセンサ３３の出力を無効にする状態も選択可能になっている。
【００１７】
ところで、制御回路部３０には、人感センサ３２から出力される検知信号を検出する機能を有した送出検出回路３９が接続されており、送出検出回路３９を介して検知信号が入力されるようになっている。なお、送出検出回路３９はフォトカプラなどによって他の回路と電気的に絶縁されており、人感センサ３２から出力される検知信号を親器１’へ送出する機能も有している。
【００１８】
また、制御回路部３０には、動作切替スイッチ３７が接続されており、送出検出回路３９を介して入力される検知信号に基づいてリレー制御部３５を介してリレー開閉部３４を開閉させる自動モードと、送出検出回路３９を介して入力される検知信号とは無関係にリレー制御部３５を介してリレー開閉部３４を開いた状態に保つ切モード（つまり、切モードでは換気扇負荷Ｆが強制的にオフに保たれる）と、送出検出回路３９を介して入力される検知信号とは無関係にリレー制御部３５を介してリレー開閉部３４を閉じた状態に保つ連続入モード（つまり、連続入モードでは換気扇負荷Ｆが強制的にオンに保たれる）との３つのモードが選択可能になっている。
【００１９】
制御回路部３０では、送出検出回路３９を介して入力される検知信号に基づいてリレー制御部３５に制御信号を与えリレー制御部３５がリレー開閉部３４を開閉させることにより換気扇負荷Ｆを制御する。
【００２０】
したがって、例えば換気扇用子器３の人感センサ３２により人が検知されたときには照明負荷Ｌが点灯されるとともに換気扇負荷Ｆが運転されることになり、照明負荷Ｌと換気扇負荷Ｆとを連動させることが可能となる。
【００２１】
【発明が解決しようとする課題】
ところで、上述の負荷制御システムにおける子器２は親器１’の定電圧回路１１から給電されるものであるから、子器２は親器１’において子器２用に確保できる電源容量により設定された台数まで接続することができるが、２台以上の親器１’に対して換気扇負荷Ｆを連動させたい場合には電磁接触器などを用いる必要がある。
【００２２】
したがって、上述の負荷制御システムは、男子トイレと女子トイレとで換気扇が共用されているような施設においては採用することができなかった。すなわち、上述の負荷制御システムに用いられる親器１’と換気扇用子器３とでは、２台の親器１’に連動して１台の換気扇負荷Ｌを制御することができないという不具合があった。
【００２３】
本発明は上記事由に鑑みて為されたものであり、その目的は、別途に設置される子器が接続可能であって負荷を制御する親器として用いることができ且つ別途に設置された親器に対して人体の検知信号を送出することが可能な熱線式自動スイッチおよびそれを用いた負荷制御システムを提供することにある。
【００２４】
【課題を解決するための手段】
請求項１の発明は、上記目的を達成するために、負荷への給電路に挿入されるスイッチ要素と、人体から放射される熱線を検知することにより人の存否を検出する子器側人感センサを有し別途に設置される子器を信号線を介して接続する子器端子と、子器端子を介して入力された子器側人感センサの検知信号を検出する検出回路と、検出回路により検出された子器側人感センサの検知信号に基づいてスイッチ要素を制御する制御回路部と、連動させる親器を他の信号線を介して接続する連動用端子と、検出回路とは電気的に絶縁され検出回路により検出された子器側人感センサの検知信号を連動用端子を介して送出する信号送出回路とを備えることを特徴とするものであり、人体から放射される熱線を検知することにより人の存否を検出する子器側人感センサを有し別途に設置される子器を信号線を介して接続する子器端子と、子器端子を介して入力された子器側人感センサの検知信号を検出する検出回路とを備えていることにより、子器を接続することが可能であり、負荷への給電路に挿入されるスイッチ要素を検出回路により検出された子器側人感センサの検知信号に基づいて制御することができるので、子器が接続され負荷への給電路に挿入されたスイッチ要素を制御する親器として用いることができ、しかも、連動させる親器を他の信号線を介して接続する連動用端子と、検出回路とは電気的に絶縁され検出回路により検出された子器側人感センサの検知信号を連動用端子を介して送出する信号送出回路とを備えていることにより、別途に設置された親器を連動用端子に接続すれば連動用端子に接続された親器に対して子器側人感センサの検知信号を送出することが可能となる。したがって、別途に設置された親器に負荷して換気扇負荷が接続されているとすれば、負荷として照明負荷が接続された熱線式自動スイッチをこの別途に設置された親器に対して複数台接続することにより、複数台の熱線式自動スイッチに連動して１台の換気扇負荷を制御することが可能となる。
【００２５】
請求項２の発明は、請求項１の発明において、人体から放射される熱線を検知することにより人の存否を検出する親器側人感センサを内蔵し、前記検出回路は、親器側人感センサの検知信号を検出し、前記制御回路部は、前記検出回路により検出された親器側人感センサの検知信号に基づいて前記スイッチ要素を制御し、前記信号送出回路は、前記検出回路により検出された親器側人感センサの検知信号を前記連動用端子を介して送出するので、別途に設置された親器を前記連動用端子に接続すれば前記連動用端子に接続された親器に対して子器側人感センサの検知信号だけでなく親器側人感センサの検知信号を送出することが可能となって、前記検出回路により検出された親器側人感センサの検知信号も別途に設置された親器に対して送出することが可能となる。
【００２６】
請求項３の発明は、請求項１または請求項２の発明において、埋込型の配線器具の取付枠に取付可能な２連モジュール寸法の器体を有し、前記検出回路を介して入力される検知信号がなくなってから前記負荷をオフさせるまでの負荷動作保持時間を設定する設定部と、前記検出回路を介して入力される検知信号に基づいて前記負荷を制御する自動モードと前記負荷を強制的にオンにする連続入モードと前記負荷を強制的にオフにする切モードとの切替選択が可能なモード選択操作部とが器体に設けられているので、埋込型の配線器具の取付枠に取付可能な２連モジュール寸法の器体を有していることにより、埋込型の配線器具の２連の取付枠を流用して施工することができ別途に専用の取付枠を製造する必要なく、また、器体の容積が１連モジュール寸法の器体の容積の略２倍となるから前記スイッチ要素として比較的高容量の負荷を開閉できる大型のものを用いることが可能であり、さらに、負荷動作保持時間を設定する設定部が器体に設けられていることにより、人が検出されなくなってから動作保持時間後に負荷がオフされるから、例えば負荷が照明負荷である場合に人が近くにいる間に照明負荷が不意に消灯することがなく且つ消し忘れによる無駄な電力消費を抑制することができ、しかも、モード選択操作部が器体に設けられていることにより、使用者や施工業者の意図に応じて負荷を強制的にオンにする連続入モードや負荷を強制的にオフにする切モードなどを選択することができ、負荷を強制的にオンにする連続入モードや負荷を強制的にオフにする切モードなどへ切り替えるための切替スイッチを別途に設ける必要がない。
【００２７】
請求項４の発明は、請求項１ないし請求項３の発明において、周囲照度を検出する明るさセンサを有する明るさセンサユニットを接続するセンサユニット接続端子を備え、前記制御回路部は、明るさセンサにより検出された照度が規定値を超えているときには前記負荷を強制的にオフするので、周囲が明るく前記負荷をオンさせることが不要であるときには前記検出回路の出力に関わらず前記負荷をオフに保つことが可能となり、無駄な電力消費を抑制することができ、しかも、明るさセンサをより適切な位置に配置することが可能となる。
【００２８】
請求項５の発明は、請求項１ないし請求項４のいずれか１項に記載の熱線式自動スイッチと、当該熱線式自動スイッチの前記連動用端子に前記他の信号線を介して接続された親器である換気扇用親器とを備え、前記負荷が照明負荷であり、換気扇用親器は、換気扇負荷への給電路に挿入される換気扇負荷用スイッチ要素と、前記熱線式自動スイッチが前記他の信号線を介して接続された連動側子器端子と、連動側子器端子を介して入力された前記親器側人感センサの検知信号を検出する連動側検出回路と、連動側検出回路により検出された前記親器側人感センサの検知信号に基づいて換気扇負荷用スイッチ要素を制御する連動側制御回路部とを有することを特徴とするものであり、前記熱線式自動スイッチが親器として照明負荷を制御することができ、しかも、前記熱線式自動スイッチを子器として換気扇用親器に接続することができて、換気扇用負荷への給電路に挿入された換気扇負荷用スイッチ要素を前記熱線式自動スイッチからの検知信号に基づいて制御することができるので、換気扇用親器の子器として前記熱線式自動スイッチを複数台接続することにより、照明負荷を制御する複数台の前記熱線式自動スイッチと換気扇負荷を制御する１台の換気扇用親器とを連動させることが可能となる。
【００２９】
請求項６の発明は、請求項５の発明において、前記換気扇用親器は、埋込型の配線器具の取付枠に取付可能な２連モジュール寸法の器体を有し、前記連動側検出回路を介して入力される検知信号がなくなってから前記換気扇負荷をオフさせるまでの連動側負荷動作保持時間を設定する連動側設定部が設けられているので、人が検出されなくなってから連動負荷動作保持時間後に前記換気扇負荷がオフされるから、人が近くにいる間に前記換気扇負荷が停止することがなく且つ消し忘れによる無駄な電力消費を抑制することができ、しかも、人が検出されなくなってから前記照明負荷をオフさせるまでの動作保持時間とは別に前記換気扇負荷をオフさせるまで連動側負荷動作時間を設定することができる。したがって、前記換気扇負荷が例えばトイレ室に設置されているような場合にトイレ室の使用後の臭気を十分に排出することが可能となる。
【００３０】
【発明の実施の形態】
（実施形態１）
本実施形態では、図３に示す構成の負荷制御システムを例示するが、従来例と同様の構成要素には同一の符号を付して説明を適宜省略する。
【００３１】
本実施形態の負荷制御システムは、照明負荷Ｌと商用電源ＡＣとが接続された２台の天井埋込型の親器（以下、連動親器と称す）１を備えており、各連動親器１それぞれに複数台の天井埋込型の子器２が２線式の信号線Ｌｓを介して接続されている。ここに、各子器２は、信号線Ｌｓを送り配線することができるようになっており、子器２間を接続する信号線Ｌｓは送り配線されている。なお、本実施形態では、連動親器１が熱線式自動スイッチを構成している。
【００３２】
また、この負荷制御システムは、換気扇負荷Ｆと商用電源ＡＣとが接続された１台の天井埋込型の親器（以下、換気扇用親器と称す）５を備えており、換気扇用親器５に複数台の子器２が信号線Ｌｓを介して接続されている。ここに、各子器２は、信号線Ｌｓを送り配線することができるようになっており、子器２間を接続する信号線Ｌｓは送り配線されている。
【００３３】
また、換気扇用親器５には、上述の２台の連動親器１が２線式の信号線Ｌｓ’を介して接続されている。なお、各連動親器１それぞれに一端側が接続された信号線Ｌｓ’は他端側が換気扇用親器５に接続されている信号線Ｌｓに接続されている。
【００３４】
連動親器１の基本回路構成は従来例で説明した親器１’の回路構成（図１０参照）と略同じであって、図１に示すように、人体から放射される熱線を検知することにより人の存否を検出する人感センサ１２と、負荷である照明負荷Ｌへの給電路に挿入されるスイッチ要素であるリレー開閉部（リレーの接点）１４と、リレー開閉部１４を制御するリレー制御部１５とを備えている。ここに、人感センサ１２は、焦電形赤外線センサからなる熱線センサを備えている。焦電形赤外線センサは微分形のセンサであって、受光した熱線量の変化に応じた振幅の出力電圧を発生させるものであり、熱線センサの出力電圧に規定の閾値以上の変化が生じると人感センサ１２からはパルス状の検知信号が出力されるようになっている。なお、連動親器１に接続される子器２は人感センサ１２と同じ構成の人感センサ（図示せず）を備えている。子器２に設けられた人感センサが子器側人感センサを構成している。
【００３５】
また、連動親器１は、商用電源ＡＣが接続される電源端子Ｔ１，Ｔ１と、負荷である照明負荷Ｌが接続される出力端子Ｔ２，Ｔ２と、子器２が接続される子器接続端子Ｔ３，Ｔ３とを備えており、出力端子Ｔ２，Ｔ２間に照明負荷Ｌがリレー開閉部１４を介して接続され、商用電源ＡＣから照明負荷Ｌへの給電路にリレー開閉部１４が挿入されることになる。
【００３６】
ここにおいて、連動親器１は、電源端子Ｔ１，Ｔ１に接続される商用電源ＡＣを整流して安定化する定電圧回路１１を備えており、定電圧回路１１から直流定電圧が出力され、定電圧回路１１から内部回路の電源が供給される。また、連動親器１は、マイクロコンピュータからなる制御回路部１０を備えており、制御回路部１０には、人感センサ１２による検知信号の発生毎に検知信号の発生時点から所定の負荷動作保持時間（点灯保持時間）を時限するタイマ（図示せず）が設けられ、タイマの時限動作中には照明負荷Ｌの点灯を継続させる構成が採用されている。つまり、タイマは検知信号によってトリガされると時限動作を行い、かつ再トリガ可能に構成されている。
【００３７】
この制御回路部１０には、タイマによる負荷動作保持時間を調節するための可変抵抗器よりなる動作保持時間設定部１６が接続されており、動作保持時間設定部１６でタイマの時限時間を調節することが可能になっている。なお、本実施形態では、動作保持時間設定部１６が設定部を構成している。
【００３８】
また、制御回路部１０には、周囲照度を検出するＣｄＳなどからなる明るさセンサ１３が接続されており、明るさセンサ１３によって検出された周囲照度が規定値を超えているときにはリレー開閉部１４を開いた状態に制御して、照明負荷Ｌをオフ（消灯状態）に保つようになっている。ところで、明るさセンサ１３により検出される周囲照度に対する規定値は、明るさ切替スイッチ１８により複数段階で選択される。また、明るさ切替スイッチ１８では明るさセンサ１３の出力を無効にする状態も選択可能になっている。
【００３９】
ところで、制御回路部１０には、人感センサ１２や子器２の人感センサから出力される検知信号を検出する機能を有した送出検出回路１９が接続されており、送出検出回路１９を介して検知信号が入力されるようになっている。したがって、連動親器１だけでなく子器２で人が検知されたときにも照明負荷Ｌが制御されることになる。なお、連動親器１は、子器端子Ｔ２，Ｔ２に信号線Ｌｓにより接続された子器２に、定電圧回路１１を電源として送出検出回路１９を介して給電するようになっている。
【００４０】
また、制御回路部１０には、動作切替スイッチ１７が接続されており、送出検出回路１９を介して入力される検知信号に基づいてリレー制御部１５を介してリレー開閉部１４を開閉させる自動モードと、送出検出回路１９を介して入力される検知信号とは無関係にリレー制御部１５を介してリレー開閉部１４を開いた状態に保つ切モード（つまり、切モードでは照明負荷Ｌが強制的にオフに保たれる）と、送出検出回路１９を介して入力される検知信号とは無関係にリレー制御部１５を介してリレー開閉部１４を閉じた状態に保つ連続入モード（つまり、連続入モードでは照明負荷Ｌが強制的にオンに保たれる）との３つのモードが選択可能になっている。
【００４１】
制御回路部１０では、送出検出回路１９を介して入力される検知信号と明るさセンサ１３の出力とに基づいてリレー制御部１５に制御信号を与えリレー制御部１５がリレー開閉部１４を開閉させることにより照明負荷Ｌを制御する。
【００４２】
以上説明した連動親器１の構成は従来例で説明した親器１’の構成と同じであり、本実施形態における連動親器１では、連動させる親器である換気扇用親器５を上述の信号線Ｌｓ’を介して接続する１組の連動用端子Ｔ４，Ｔ４と、送出検出回路１９とはフォトカプラなどを用いて電気的に絶縁され送出検出回路１９により検出された検知信号を連動用端子Ｔ４，Ｔ４を介して送出する信号送出回路２０とを備えている点が相違する。なお、本実施形態では、送出検出回路１９が検出回路を構成している。
【００４３】
また、換気扇用親器５としては、図１０に示した親器１’の回路構成と同じ構成のものを採用しており、出力端子Ｔ２’，Ｔ２’間に換気扇負荷Ｆが接続されている点が相違するだけである。したがって、換気扇用親器５は、各連動親器１の信号送出回路２０から送出された検知信号を子器２からの検知信号と同様に送出検出回路１９’にて検出することができ、制御回路部１０’が送出検出回路１９’から入力された検知信号および明るさセンサ１３’の出力に基づいてリレー制御部１５’を制御してリレー開閉部１４’を開閉することで換気扇負荷Ｆがオンオフされることになる。
【００４４】
次に、上述の負荷制御システムの動作例について図４を参照しながら説明する。なお、図４における（ａ１）〜（ａ３）は図３における２台の連動親器１のうち同図における上側の連動親器１（以下、説明の便宜上、連動親器１ａと称す）の動作説明図、（ｂ１）〜（ｂ３）は下側の連動親器１（以下、説明の便宜上、連動親器１ｂと称す）の動作説明図、（ｃ１）〜（ｃ３）は換気扇用親器５の動作説明図である。また、以下では、説明の便宜上、連動親器１ａに接続された照明負荷Ｌを照明負荷Ｌａと称し、連動親器１ｂに接続された照明負荷Ｌを照明負荷Ｌｂと称するとともに、連動親器１ａにて設定された負荷動作保持時間を負荷動作保持時間Ｈａ、連動親器１ｂにて設定された負荷動作保持時間を負荷動作保持時間Ｈｂ、換気扇用親器５にて設定された負荷動作保持時間を連動側負荷動作保持時間Ｈ５と称す。なお、本実施形態では、換気扇用親器５の動作保持時間設定部１６’が連動側設定部を構成している。
【００４５】
いま、連動親器１ａの子器端子Ｔ３，Ｔ３に信号線Ｌｓを介して接続された子器２から（ａ１）に示すような検知信号が入力されたとすると、連動用端子Ｔ４，Ｔ４を介して（ａ２）に示すような検知信号が出力されるとともに、制御回路部１０の出力に基づいて照明負荷Ｌａが（ａ３）に示すようにオンされる。ここに、照明負荷Ｌａは検知信号がなくなってから負荷動作保持時間Ｈａ後にオフされる。
【００４６】
一方、上述のように連動親器１ａの連動用端子Ｔ４，Ｔ４を介して（ａ２）のような検知信号が出力された場合、連動親器１ｂは動作しない（つまり、連動しない）が、換気扇用親器５では、連動親器１ａの連動用端子Ｔ４，Ｔ４を介して出力された検知信号が子器端子Ｔ３’，Ｔ３’を介して（ｃ１）に示すように入力されるので、制御回路部１０’の出力に基づいて換気扇負荷Ｆが（ｃ２）に示すようにオンされる。ここに、換気扇負荷Ｆは検知信号がなくなってから負荷動作保持時間Ｈ５後にオフされる。
【００４７】
その後、連動親器１ｂの子器端子Ｔ３，Ｔ３に信号線Ｌｓを介して接続された子器２から（ｂ１）に示すような検知信号が入力されたとすると、連動用端子Ｔ４，Ｔ４を介して（ｂ２）に示すような検知信号が出力されるとともに、制御回路部１０の出力に基づいて照明負荷Ｌｂが（ｂ３）に示すようにオンされる。ここに、照明負荷Ｌｂは検知信号がなくなってから負荷動作保持時間Ｈｂ後にオフされる。
【００４８】
また、上述のように連動親器１ｂの連動用端子Ｔ４，Ｔ４を介して（ｂ２）のような検知信号が出力された場合、連動親器１ａは動作しない（つまり、連動しない）が、換気扇用親器５では、連動親器１ｂの連動用端子Ｔ４，Ｔ４を介して出力された検知信号が子器端子Ｔ３’，Ｔ３’を介して（ｃ１）に示すように入力されるので、制御回路部１０’の出力に基づいて換気扇負荷Ｆが（ｃ２）に示すようにオンされる。ここに、換気扇負荷Ｆは検知信号がなくなってから負荷動作保持時間Ｈ５後にオフされる。
【００４９】
上述の説明から明らかなように換気扇用親器５は、２台の連動親器１ａ，１ｂそれぞれに連動して換気扇負荷Ｆを制御することができる。すなわち、各連動親器１ａ，１ｂはそれぞれに接続された子器２の親器でありながら換気扇用親器５に対しては子器として人感センサ１２による検知信号を送出することができるのである。ここに、各親器１ａ，１ｂ，５は、各負荷Ｌａ，Ｌｂ，Ｆをオンさせた場合に人が検出されなくなってからそれぞれ負荷動作保持時間Ｈａ，Ｈｂ，Ｈ５後に各負荷Ｌａ，Ｌｂ，Ｈ５をオフさせるから、人が近くにいる間に各負荷Ｌａ，Ｌｂ，Ｆが停止することがなく且つ消し忘れによる無駄な電力消費を抑制することができる。なお、上述した照明負荷Ｌａ，Ｌｂおよび換気扇負荷Ｆがトイレ室などに設置されている場合には、負荷動作保持時間Ｈ５を負荷動作保持時間Ｈａ，Ｈｂに比べて長く設定することにより、トイレ室の使用後の臭気を十分に排出することが可能となる。ここに、２つの連動親器１のうちの一方の連動親器１およびそれに接続された子器２を男子トイレ室に設置し、他方の連動親器１およびそれに接続された子器２を女子トイレ室に設置して、換気扇負荷Ｆが男子トイレ室と女子トイレ室とで共用の場合に換気扇親器５により換気扇負荷Ｆを２台の連動親器１に連動させて制御することができる。
【００５０】
以上説明した連動親器１の器体は、図２に示すように、上面が開放された合成樹脂製のボディ４０と下面が開放された合成樹脂製のカバー５０とを結合して形成されている。ボディ４０の下端には外形形状が円形であるフランジ部４１が連続一体に形成され、ボディ４０の上縁には４個の組立片４２が上向きに突設されている。ここに、各組立片４２にはカバー５０の外側面に突設した組立爪５１が挿入される係合孔４２ａが形成されており、組立爪５１と組立孔４２ａとが凹凸係合することによってボディ４０とカバー５０とが結合されている。
【００５１】
ボディ４０の中央部には円形の露出窓４３が開口してあり、開口窓４３には可動体６０が一部をボディ４０の下面側に露出させ、かつボディ４０に対して回動可能となるように装着されている。可動体６０は、半球状に形成された回転枠６１と、フレネルレンズよりなる半球状のレンズ６２とを結合することにより球状に形成され、回転枠６１には円環状の回転枠６３が取着されている。回転枠６１の外周面には一対の軸ピン６１ａが突設されており、両軸ピン６１ａはボディ４０の露出窓４３の周縁に形成された断面コ字状の一対のガイドリブ４４に挿入するようになっている。ガイドリブ４４は露出窓４３の開口縁から上方に延長されており、したがって、軸ピン６１ａは、ガイドリブ４４の延長方向に沿っての上下移動と軸ピン６１ａの回りでの回転移動とが可能になる。この構成によって、可動体６０はボディ４０に対して回転自在になるのであり、レンズ６２がボディ４０の下面から露出する。
【００５２】
回転枠６１の上面には環状突部６１ｂが突設され、環状突部６１ｂの内側には押体６５の下端部が当接する。押体６５はボディ４０に固定された押え金具６６に対して上下移動が可能であって、コイルばね６７によって下向きに付勢されている。押え金具６６は両端部が固定ねじ６８によってボディ４０に固定されている。したがって、可動体６０は回転枠６３を露出窓４３の開口周縁に当接させた形で露出窓４３と押体６５との間に挟持されることになる。可動体６０を回転させるときには、可動体６０を押し上げて可動体６０を露出窓４３から離せばよい。押体６５には上方に向かって係止爪６５ａが突設されるとともにガイドピン６５ｂが突設されており、これらを押え金具６６に挿通することによって、押体６５およびコイルばね６７が押え金具６６に保持される。
【００５３】
人感センサ１２は可動体６０に収納される回路基板６４に実装され、レンズ６２を通して入射する熱線を受光する。ここに、レンズ６２は熱線が透過しやすい材料（例えば、高密度ポリエチレン）によって形成されている。なお、レンズ６２は、それぞれフレネルレンズよりなる多数個のレンズ小体の集合体であって、方向に応じて人感センサ１の集光量に変化を持たせることによって、熱線を放射する熱源の微小移動を熱線量の変化として検出することができるようになっている。したがって、人が存在する間は人感センサ１２から絶えず出力を得ることが可能になる。
【００５４】
ところで、ボディ４０におけるフランジ部４１には、天井材に直付けしたり埋込ボックスに結合するときに用いる取付ねじ（図示せず）が挿通される長孔状の一対の取付孔４５が開口されている。両取付孔４５はフランジ部４１の中心に対して互いに反対側に設けられている。また、両取付孔４５を通る直線に直交する直線であってフランジ部４１の中心を通る直線上には、周知の取付金具（図示せず）に設けた引締ねじ（図示せず）をそれぞれ露出させる２個の操作孔４７が形成され、各操作孔４７の両側には上記取付金具をフランジ部４１に装着する各一対の取付溝４６が形成されている。
【００５５】
したがって、埋込ボックスを用いる場合には、天井に形成した埋込孔にボディ４０の上部を挿入した形でフランジ部４１の上面を天井面に当接させ、取付孔４５に挿通される取付ねじを埋込ボックスに螺合させればよい。また、天井材に直付けする場合も同様であって、フランジ部４１の上面を天井面に当接させた状態で、取付孔４５に挿通された取付ねじ（木ねじを用いる）を天井材に螺合させればよい。一方、上記取付金具を用いる場合には、上記取付金具をフランジ部４１に固定し、操作孔４７を通してドライバを挿入し引締ねじを締め付けることによってフランジ部４１と上記取付金具に設けられた挟み板との間で天井板を挟持し、器体を天井に固定することができる。
【００５６】
フランジ部４１の下面側は可動体６０のレンズ６２を露出させる開口窓４８を有する化粧プレート４９により覆われる。化粧プレート４９はフランジ部４１の周縁に係合するように形成され、フランジ部４１に対して着脱自在になっている。
【００５７】
ところで、カバー５０には、外部電線を接続するための４組の端子９０，９０（電源端子Ｔ１，Ｔ１、出力端子Ｔ２，Ｔ２、子器端子Ｔ３，Ｔ３、連動用端子Ｔ４，Ｔ４）や定電圧回路１１が実装された回路基板５２と、他の回路部分（制御回路部１０、動作保持時間設定部１６、動作切替スイッチ１７、明るさ切替スイッチ１８など）が実装された回路基板５３とが収納されている。なお、動作保持時間設定部１６、動作切替スイッチ１７、明るさ切替スイッチ１８それぞれの操作部（図示せず）はボディ４０の下面側に露出しており、ボディ４０の下面側（フランジ部４１の下面側）から各操作部を操作できるようになっている。
【００５８】
端子９０はいわゆる速結端子であり、回路基板５２に実装された端子板９１と、端子板９１との間に外部電線を保持する鎖錠ばね９２と、鎖錠ばね９２により保持されている外部電線を外す際に操作される解除釦９３とからなる。鎖錠ばね９２は弾性を有する金属板を曲成することにより形成したものであり、ばね力によって外部電線を端子板９１との間に挟持し、かつ端縁を外部電線に食い込ませることによって外部電線を抜け止めする。解除釦９３は外部電線を抜け止めしている鎖錠ばね９２を外部電線から引き離すために設けられている。
【００５９】
外部電線は、カバー５０の上面に形成した電線挿入口５４を通して器体に挿入され、端子板９１と鎖錠ばね９２との間に挟持される。また、解除釦９３は電線挿入口５４に隣接して設けた釦操作孔５５にドライバの先端部などを挿入することによって操作することができるようになっている。なお、解除釦９３は対をなす２個の鎖錠ばね９２に跨って配置されており、１個の解除釦９３にて対をなす２個の鎖錠ばね９２を外部電線から引き離すことができるようになっている。また、カバー５０の上には電線挿入口５４および釦操作孔５５を必要に応じて覆うことができるように、端子カバー（図示せず）が着脱自在に装着される。上述したように、器体を天井に取り付けるには、埋込ボックスを用いる他に、直付けしたり取付金具を用いたりする場合があるから、埋込ボックスを用いない場合には、電線挿入口５４や釦操作孔５５にほこりや水滴などが入ることのないように、端子カバーを取り付けるのである。
【００６０】
一方、換気扇用親器３の外観は連動親器１と同じであって、連動親器１と同じ施工方法で天井に固定することができる。
【００６１】
ところで、本実施形態における連動親器１は、送出検出回路１９を介して入力される検知信号に基づいて負荷である照明負荷Ｌを制御する自動モードと照明負荷Ｌを強制的にオンにする連続入モードと照明負荷Ｌを強制的にオフにする切モードとの切替選択が可能な動作切替スイッチ１７がモード選択操作部を構成しており、動作切替スイッチ１７が器体に設けられているので、使用者や施工業者の意図に応じて照明負荷Ｌを強制的にオンにする連続入モードや照明負荷Ｌを強制的にオフにする切モードなどを選択することができ、照明負荷Ｌを強制的にオンにする連続入モードや照明負荷Ｌを強制的にオフにする切モードなどへ切り替えるための切替スイッチを別途に設ける必要がないという利点がある。
【００６２】
（実施形態２）
本実施形態の負荷制御システムの基本構成は実施形態１と略同じであって、連動親器１の構造が相違する。なお、実施形態１と同様の構成要素には同一の符号を付して説明を省略する。また、連動親器１の回路構成は実施形態１と同じなので図示および説明を省略する。
【００６３】
本実施形態における連動親器１の器体は、図５に示すように、それぞれ合成樹脂成形品よりなるボディ７０とカバー８０とを結合して形成される。
【００６４】
ここに、器体は、ＪＩＳ規格で規格化されている大角形連用配線器具の取付枠１００に取り付けることができるいわゆる２連モジュール寸法に形成されている。つまり、器体は、単位寸法（いわゆる１個モジュール寸法）の埋込型の配線器具を縦方向に３個、横方向に２個並べた寸法に相当する寸法（縦３個分を１連として２列分という意味で２連モジュール寸法と呼ぶ）に形成されている。したがって、取付枠１００に対して器体を１個だけ取り付けることが可能である。
【００６５】
なお、図示した取付枠１００は金属製の取付枠であって、カバー８０の両側面には、金属製の取付枠１００に形成された保持爪１０１，１０２が係合する取付孔８１と、合成樹脂製の取付枠（図示せず）に形成された保持孔に係合する取付爪８２とが形成されている。カバー８０の周部には後方に向かって後端部に結合爪８３ａを備えた組立脚８３が突設され、各組立脚８３がボディ７０の周部に穿孔された組立孔７１に挿入され結合爪８３ａが組立孔７１の周縁に係止されることによって、ボディ７０にカバー８０が結合される。
【００６６】
ボディ７０の内部空間には４区画の端子収納室７２が形成されている。実施形態１で説明した回路（図１参照）は２枚の回路基板７３，７４に実装される。一方の回路基板７３（前後方向において前側に配置される回路基板７３）には人感センサ１２、明るさセンサ１３、動作切替スイッチ１７、動作保持時間設定部１６、明るさ切替スイッチ１８などが実装され、他方の回路基板７４（前後方向において後側に配置される回路基板７４）には他の回路部分が実装されている。また、回路基板７３にはレンズ６２’が人感センサ１２および明るさセンサ１３を覆うように固定されている。ここにおいて、レンズ６２’は、熱線が透過しやすい透光性材料（例えば、高密度ポリエチレン）によって形成されている。なお、レンズ６２’は、それぞれフレネルレンズよりなる多数個のレンズ小体の集合体を有しており、方向に応じて人感センサ１２の集光量に変化を持たせることによって、熱線を放射する熱源の微小移動を熱線量の変化として検出することができるようになっている。したがって、人が存在する間は人感センサ１２から絶えず出力を得ることが可能になる。また、レンズ６２’の前面側には人感センサ１２の検知エリアを制限する遮光性を有する一対のエリア制限カバー６９，６９が、カバー８０の前面の上部に開口した矩形状の開口窓８５の上縁および下縁から前方に突設された半円状の保持枠８６とレンズ６２’との間でレンズ６２’の前面に沿ってスライド自在に保持される。ここに、エリア制限カバー６９の断面は円弧状に形成されている。また、エリア制限カバー６９には開閉操作を行う（スライドさせる）ための操作つまみ６９ａが突設されている。なお、エリア制限カバー６９は、可視光を透過し、且つ、熱線を遮断する材料により形成されているので、レンズ６２’内に配置された明るさセンサ１３に入射する光を減少させることなく、不要な領域からの熱線の入射のみを遮断することができる。
【００６７】
また、回路基板７４の後面側には実施形態１で説明した速結端子構造を有した４組の端子９０が実装され、４組の端子９０は組みごとに端子収納室７２に納装されている。なお、ボディ７０には実施形態１と同様に端子板９１と鎖錠ばね９２との間に外部電線を挿入するための電線挿入口（図示せず）とマイナスドライバなどの工具を挿入して解除釦９３を操作するための釦操作孔（図示せず）とが形成されている。
【００６８】
連動親器１において、動作切替スイッチ１７の操作部１７ａ，１７ｂ，１７ｃは、カバー８０の前面に形成された露出孔８７ａ，８７ｂ，８７ｃを通してカバー８０の前面側に露出している。ただし、動作切替スイッチ１７は３個の押釦スイッチを用いて構成されており、器体の前面における右側に、連続入モードを選択する操作部１７ａと、自動モードを選択する操作部１７ｂと、切モードを選択する操作部１７ｃとが上下１列に並んで配置されている。また、器体の前面の左側には凹所８８が形成され、動作保持時間設定部１６の操作部１６ａ、明るさ切替スイッチ１８の操作部１８ａがそれぞれ凹所８８の底面に形成された露出孔８８ｂ，８８ａを通して露出するようになっているが、扉体８４によって覆われている。扉体８４は、カバー８０の前面に形成された凹所８８の開口面を覆う位置と凹所８８を開放した位置との間で開閉するようにカバー８０に取り付けられる。つまり、扉体８４には上下に一対の軸ピン８４ａ，８４ａが突設されており、凹所８８からカバー８０の内側に連続するガイド溝（図示せず）に軸ピン８４ａ，８４ａが係合しており、扉体８４が凹所８８を開放した状態では扉体８４をガイド溝に沿ってカバー８０内に収納できるようにしてある。すなわち、扉体８４を開けば、上述の操作部１６ａ，１８ａを操作できる。
【００６９】
ところで、上述の取付枠１００の上下両端部には長孔状の取付孔１０６が形成され、取付孔１０６の近傍には引掛孔１０７およびねじ孔１０８が形成されている。取付孔１０６は壁面に直付けしたり埋込ボックスに取り付ける際に取付ねじを挿通する孔であり、引掛孔１０７は周知の挟み金具（図示せず）の一端部を引っ掛けるために設けられている。挟み金具は取付枠１００に一端部が枢支され、他端部と取付枠１００との間に壁材を挟持する金具であって、取付孔１０６に挿通した引締ねじを挟み金具に螺合させることによって、挟み金具の他端部と取付枠１００との距離を変えることができるようになっている。また、取付枠１００の前面側を覆う化粧プレート（図示せず）をねじで取り付けるときには、そのねじをねじ孔１０８に螺合させるようになっている。
【００７０】
しかして、本実施形態における連動親器１は、埋込型の配線器具の取付枠１００に取付可能な２連モジュール寸法の器体を有しているので、埋込型の配線器具の２連の取付枠１００を流用して施工することができ別途に専用の取付枠を製造する必要なく、また、器体の容積が１連モジュール寸法の器体の容積の略２倍となるからスイッチ要素であるリレー開閉部１４として比較的高容量の負荷を開閉できる大型のものを用いることが可能となる。
【００７１】
（実施形態３）
本実施形態の負荷制御システムの基本構成は実施形態２と略同じであって、連動親器１の回路構成および構造が相違する。なお、実施形態２と同様の構成要素には同一の符号を付して説明を省略する。
【００７２】
本実施形態における連動親器１は、図６に示すように、実施形態２にて説明した人感センサ１２、レンズ６２’、検知エリア制限カバー６９，６９が設けられていない点が相違する。また、レンズ６２’が設けられていない代わりに、カバー８０の前面には、明るさセンサ１３に対応する部位に透光窓８９が形成されている点が相違する。
【００７３】
したがって、本実施形態における連動親器１は、当該連動親器１に接続された子器２（図３参照）の子器側人感センサからの検知信号が入力されたときにのみ照明負荷Ｌを制御するとともに換気扇用親器５（図３参照）に対して検知信号を送出することになる。
【００７４】
（実施形態４）
本実施形態の負荷制御システムの基本構成は実施形態２と略同じであって、連動親器１の回路構成および構造が相違する。なお、実施形態２と同様の構成要素には同一の符号を付して説明を省略する。
【００７５】
本実施形態における連動親器１は、図７に示すように、実施形態２にて説明した人感センサ１２、レンズ６２’、検知エリア制限カバー６９，６９、明るさセンサ１３が設けられていない点が相違する。また、レンズ６２’が設けられていないので、実施形態２にて説明した開口窓８５および一対の保持枠８６，８６が形成されてない点が相違する。
【００７６】
ところで、本実施形態における連動親器１は、回路基板７４に、上述の４組の端子９０とは別にさらに１組の端子９０が実装されており、当該１組の端子９０を収納する端子収納室７２’がボディ８０に形成されている。この端子収納室７２’に収納される端子９０，９０は、周囲照度を検出するＣｄＳなどの明るさセンサを有して別途に設置される明るさセンサユニット（図示せず）を接続するための端子であって、器体内において制御回路部１０（図１参照）に接続されている。ここに、制御回路部１０は、明るさセンサユニットの明るさセンサにより検出された照度が規定値を超えているときには、照明負荷Ｌ（図３参照）を強制的にオフにするので、周囲が明るく照明負荷Ｌをオンさせることが不要であるときには送出検出回路１９（図１参照）の出力に関わらず照明負荷Ｌをオフに保つことが可能となり、無駄な電力消費を抑制することができる。
【００７７】
また、本実施形態では、明るさセンサユニットを連動親器１とは別の位置に設置できるので、明るさセンサをより適切な位置に配置することが可能となる。なお、本実施形態では、端子収納室７２’に収納される端子９０，９０が明るさセンサユニットを接続するセンサユニット接続端子を構成している。
【００７８】
（実施形態５）
本実施形態の負荷制御システムの基本構成は実施形態１と略同じであって、換気扇用親器５の回路構成および構造が相違する。なお、実施形態１と同様の構成要素には同一の符号を付して説明を省略する。
【００７９】
本実施形態における換気扇用親器５の器体は、図８に示すように、それぞれ合成樹脂成形品よりなるボディ１７０とカバー１８０とを結合して形成される。
【００８０】
ここに、器体は、ＪＩＳ規格で規格化されている大角形連用配線器具の取付枠１００に取り付けることができるいわゆる２連モジュール寸法に形成されている。つまり、器体は、単位寸法（いわゆる１個モジュール寸法）の埋込型の配線器具を縦方向に３個、横方向に２個並べた寸法に相当する寸法（縦３個分を１連として２列分という意味で２連モジュール寸法と呼ぶ）に形成されている。したがって、取付枠１００に対して器体を１個だけ取り付けることが可能である。
【００８１】
なお、図示した取付枠１００は金属製の取付枠であって、カバー１８０の両側面には、金属製の取付枠１００に形成された保持爪１０１，１０２が係合する取付孔１８１と、合成樹脂製の取付枠（図示せず）に形成された保持孔に係合する取付爪１８２とが形成されている。カバー１８０の周部には後方に向かって後端部に結合爪１８３ａを備えた組立脚１８３が突設され、各組立脚１８３がボディ１７０の周部に穿孔された組立孔１７１に挿入され結合爪１８３ａが組立孔１７１の周縁に係止されることによって、ボディ１７０にカバー１８０が結合される。
【００８２】
ボディ１７０の内部空間には４区画の端子収納室１７２が形成されている。換気扇用親器５の回路（実施形態１において図１０を参照して説明した親器１’の回路）は２枚の回路基板１７３，１７４に実装される。ただし、本実施形態における換気扇用親器５は図１０に示した回路のうち人感センサ１２’、明るさセンサ１３’、明るさ切替スイッチ１８’を設けておらず、一方の回路基板１７３（前後方向において前側に配置される回路基板１７３）には動作切替スイッチ１７’、可変抵抗器からなる動作保持時間設定部１６’が実装され、他方の回路基板１７４（前後方向において後側に配置される回路基板１７４）には他の回路部分が実装されている。
【００８３】
また、回路基板１７４の後面側には実施形態１で説明した速結端子構造と同じ構造の４組の端子９０が実装され、４組の端子９０は組みごとに端子収納室１７２に納装されている。ただし、４組のうち実際に使用されるのは３組である。なお、ボディ１７０には実施形態１と同様に端子板９１と鎖錠ばね９２との間に外部電線を挿入するための電線挿入口（図示せず）とマイナスドライバなどの工具を挿入して解除釦９３を操作するための釦操作孔（図示せず）とが形成されている。
【００８４】
換気扇用親器５において、動作切替スイッチ１７’の操作部１７ａ’，１７ｂ’，１７ｃ’は、カバー１８０の前面に形成された露出孔１８７ａ，１８７ｂ，１８７ｃを通してカバー１８０の前面側に露出している。ただし、動作切替スイッチ１７’は３個の押釦スイッチを用いて構成されており、器体の前面における右側に、連続入モードを選択する操作部１７ａ’と、自動モードを選択する操作部１７ｂ’と、切モードを選択する操作部１７ｃ’とが上下１列に並んで配置されている。また、器体の前面の左側には凹所１８８が形成され、動作保持時間設定部１６’の操作部１６ａ’が凹所１８８の底面に形成された露出孔１８８ｂを通して露出するようになっているが、扉体１８４によって覆われている。扉体１８４は、カバー１８０の前面に形成された凹所１８８の開口面を覆う位置と凹所１８８を開放した位置との間で開閉するようにカバー１８０に取り付けられる。つまり、扉体１８４には上下に一対の軸ピン１８４ａ，１８４ａが突設されており、凹所１８８からカバー１８０の内側に連続するガイド溝（図示せず）に軸ピン１８４ａ，１８４ａが係合しており、扉体１８４が凹所１８８を開放した状態では扉体１８４をガイド溝に沿ってカバー１８０内に収納できるようにしてある。すなわち、扉体１８４を開けば、上述の操作部１６ａ’を操作できる。
【００８５】
ところで、上述の取付枠１００の上下両端部には長孔状の取付孔１０６が形成され、取付孔１０６の近傍には引掛孔１０７およびねじ孔１０８が形成されている。取付孔１０６は壁面に直付けしたり埋込ボックスに取り付ける際に取付ねじを挿通する孔であり、引掛孔１０７は周知の挟み金具（図示せず）の一端部を引っ掛けるために設けられている。挟み金具は取付枠１００に一端部が枢支され、他端部と取付枠１００との間に壁材を挟持する金具であって、取付孔１０６に挿通した引締ねじを挟み金具に螺合させることによって、挟み金具の他端部と取付枠１００との距離を変えることができるようになっている。また、取付枠１００の前面側を覆う化粧プレート（図示せず）をねじで取り付けるときには、そのねじをねじ孔１０８に螺合させるようになっている。
【００８６】
しかして、本実施形態における換気扇用親器５は、埋込型の配線器具の取付枠１００に取付可能な２連モジュール寸法の器体を有しているので、埋込型の配線器具の２連の取付枠１００を流用して施工することができ別途に専用の取付枠を製造する必要なく、また、器体の容積が１連モジュール寸法の器体の容積の略２倍となるからスイッチ要素であるリレー開閉部１４’（図１０参照）として比較的高容量の負荷を開閉できる大型のものを用いることが可能となる。
【００８７】
なお、本実施形態における換気扇用親器５を他の実施形態における換気扇用親器５の代わりに用いてもよいことは勿論である。
【００８８】
【発明の効果】
請求項１の発明は、負荷への給電路に挿入されるスイッチ要素と、人体から放射される熱線を検知することにより人の存否を検出する子器側人感センサを有し別途に設置される子器を信号線を介して接続する子器端子と、子器端子を介して入力された子器側人感センサの検知信号を検出する検出回路と、検出回路により検出された子器側人感センサの検知信号に基づいてスイッチ要素を制御する制御回路部と、連動させる親器を他の信号線を介して接続する連動用端子と、検出回路とは電気的に絶縁され検出回路により検出された子器側人感センサの検知信号を連動用端子を介して送出する信号送出回路とを備えるものであり、人体から放射される熱線を検知することにより人の存否を検出する子器側人感センサを有し別途に設置される子器を信号線を介して接続する子器端子と、子器端子を介して入力された子器側人感センサの検知信号を検出する検出回路とを備えていることにより、子器を接続することが可能であり、負荷への給電路に挿入されるスイッチ要素を検出回路により検出された子器側人感センサの検知信号に基づいて制御することができるので、子器が接続され負荷への給電路に挿入されたスイッチ要素を制御する親器として用いることができ、しかも、連動させる親器を他の信号線を介して接続する連動用端子と、検出回路とは電気的に絶縁され検出回路により検出された子器側人感センサの検知信号を連動用端子を介して送出する信号送出回路とを備えていることにより、別途に設置された親器を連動用端子に接続すれば連動用端子に接続された親器に対して子器側人感センサの検知信号を送出することが可能となるという効果がある。したがって、別途に設置された親器に負荷して換気扇負荷が接続されているとすれば、負荷として照明負荷が接続された熱線式自動スイッチをこの別途に設置された親器に対して複数台接続することにより、複数台の熱線式自動スイッチに連動して１台の換気扇負荷を制御することが可能となる。
【００８９】
請求項２の発明は、請求項１の発明において、人体から放射される熱線を検知することにより人の存否を検出する親器側人感センサを内蔵し、前記検出回路は、親器側人感センサの検知信号を検出し、前記制御回路部は、前記検出回路により検出された親器側人感センサの検知信号に基づいて前記スイッチ要素を制御し、前記信号送出回路は、前記検出回路により検出された親器側人感センサの検知信号を前記連動用端子を介して送出するので、別途に設置された親器を前記連動用端子に接続すれば前記連動用端子に接続された親器に対して子器側人感センサの検知信号だけでなく親器側人感センサの検知信号を送出することが可能となって、前記検出回路により検出された親器側人感センサの検知信号も別途に設置された親器に対して送出することが可能となるという効果がある。
【００９０】
請求項３の発明は、請求項１または請求項２の発明において、埋込型の配線器具の取付枠に取付可能な２連モジュール寸法の器体を有し、前記検出回路を介して入力される検知信号がなくなってから前記負荷をオフさせるまでの負荷動作保持時間を設定する設定部と、前記検出回路を介して入力される検知信号に基づいて前記負荷を制御する自動モードと前記負荷を強制的にオンにする連続入モードと前記負荷を強制的にオフにする切モードとの切替選択が可能なモード選択操作部とが器体に設けられているので、埋込型の配線器具の取付枠に取付可能な２連モジュール寸法の器体を有していることにより、埋込型の配線器具の２連の取付枠を流用して施工することができ別途に専用の取付枠を製造する必要ないという効果があり、また、器体の容積が１連モジュール寸法の器体の容積の略２倍となるから前記スイッチ要素として比較的高容量の負荷を開閉できる大型のものを用いることが可能であるという効果があり、さらに、負荷動作保持時間を設定する設定部が器体に設けられていることにより、人が検出されなくなってから動作保持時間後に負荷がオフされるから、例えば負荷が照明負荷である場合に人が近くにいる間に照明負荷が不意に消灯することがなく且つ消し忘れによる無駄な電力消費を抑制することができるという効果があり、しかも、モード選択操作部が器体に設けられていることにより、使用者や施工業者の意図に応じて負荷を強制的にオンにする連続入モードや負荷を強制的にオフにする切モードなどを選択することができ、負荷を強制的にオンにする連続入モードや負荷を強制的にオフにする切モードなどへ切り替えるための切替スイッチを別途に設ける必要がないという効果がある。
【００９１】
請求項４の発明は、請求項１ないし請求項３の発明において、周囲照度を検出する明るさセンサを有する明るさセンサユニットを接続するセンサユニット接続端子を備え、前記制御回路部は、明るさセンサにより検出された照度が規定値を超えているときには前記負荷を強制的にオフするので、周囲が明るく前記負荷をオンさせることが不要であるときには前記検出回路の出力に関わらず前記負荷をオフに保つことが可能となり、無駄な電力消費を抑制することができるという効果があり、しかも、明るさセンサをより適切な位置に配置することが可能となるという効果がある。
【００９２】
請求項５の発明は、請求項１ないし請求項４のいずれか１項に記載の熱線式自動スイッチと、当該熱線式自動スイッチの前記連動用端子に前記他の信号線を介して接続された親器である換気扇用親器とを備え、前記負荷が照明負荷であり、換気扇用親器は、換気扇負荷への給電路に挿入される換気扇負荷用スイッチ要素と、前記熱線式自動スイッチが前記他の信号線を介して接続された連動側子器端子と、連動側子器端子を介して入力された前記親器側人感センサの検知信号を検出する連動側検出回路と、連動側検出回路により検出された前記親器側人感センサの検知信号に基づいて換気扇負荷用スイッチ要素を制御する連動側制御回路部とを有するものであり、前記熱線式自動スイッチが親器として照明負荷を制御することができ、しかも、前記熱線式自動スイッチを子器として換気扇用親器に接続することができて、換気扇用負荷への給電路に挿入された換気扇負荷用スイッチ要素を前記熱線式自動スイッチからの検知信号に基づいて制御することができるので、換気扇用親器の子器として前記熱線式自動スイッチを複数台接続することにより、照明負荷を制御する複数台の前記熱線式自動スイッチと換気扇負荷を制御する１台の換気扇用親器とを連動させることが可能となるという効果がある。
【００９３】
請求項６の発明は、請求項５の発明において、前記換気扇用親器は、埋込型の配線器具の取付枠に取付可能な２連モジュール寸法の器体を有し、前記連動側検出回路を介して入力される検知信号がなくなってから前記換気扇負荷をオフさせるまでの連動側負荷動作保持時間を設定する連動側設定部が設けられているので、人が検出されなくなってから連動負荷動作保持時間後に前記換気扇負荷がオフされるから、人が近くにいる間に前記換気扇負荷が停止することがなく且つ消し忘れによる無駄な電力消費を抑制することができるという効果があり、しかも、人が検出されなくなってから前記照明負荷をオフさせるまでの動作保持時間とは別に前記換気扇負荷をオフさせるまで連動側負荷動作時間を設定することができるという効果がある。したがって、前記換気扇負荷が例えばトイレ室に設置されているような場合にトイレ室の使用後の臭気を十分に排出することが可能となる。
【図面の簡単な説明】
【図１】実施形態１における連動親器の回路ブロック図である。
【図２】同上における連動親器の分解斜視図である。
【図３】同上における連動親器を用いた負荷制御システムのシステム構成図である。
【図４】同上における負荷制御システムの動作説明図である。
【図５】実施形態２における連動親器の分解斜視図である。
【図６】実施形態３における連動親器の分解斜視図である。
【図７】実施形態４における連動親器の分解斜視図である。
【図８】実施形態５における換気扇用親器の分解斜視図である。
【図９】従来例を示す負荷制御システムのシステム構成図である。
【図１０】同上における親器の回路ブロック図である。
【図１１】同上における換気扇用子器の回路ブロック図である。
【符号の説明】
１　親器（連動親器）
２　子器
５　親器（換気扇用親器）
１０　制御回路部
１１　定電圧回路
１２　人感センサ
１３　明るさセンサ
１４　リレー開閉部
１５　リレー制御部
１６　動作保持時間設定部
１７　動作切替スイッチ
１８　明るさ切替スイッチ
１９　送出検出回路
２０　信号送出回路
Ｔ１，Ｔ１　電源端子
Ｔ２，Ｔ２　出力端子
Ｔ３，Ｔ３　子器端子
Ｔ４，Ｔ４　連動用端子
【図１】
2004044855.tif 000003
【図２】
2004044855.tif 000004
【図３】
2004044855.tif 000005
【図４】
2004044855.tif 000006
【図５】
2004044855.tif 000007
【図６】
2004044855.tif 000008
【図７】
2004044855.tif 000009
【図８】
2004044855.tif 000010
【図９】
2004044855.tif 000011
【図１０】
2004044855.tif 000012
【図１１】
2004044855.tif 000013